(57)【要約】【課題】機能を実行させる際の設定操作の手間を低減でき、複数種類の機能をユーザが望む設定条件で容易且つ迅速に実行させることが可能な機能実行装置を提供する。【解決手段】機能実行装置は、複数のワンタッチキーを備え、複数種類の機能のうち設定されている機能モードに対応した機能を実行可能である。ワンタッチキーには、複数種類の機能毎に特定設定情報を登録可能である。何れかのワンタッチキーが押下された場合に（Ｓ３４０：ＹＥＳ）、そのワンタッチキーに、現在の機能モードに対応した機能の特定設定情報が登録されている場合は（Ｓ３８０：ＹＥＳ）、その特定設定情報が示す設定値に従って機能が実行される（Ｓ４４０）。【選択図】図５
2018174437.tif 000002
【特許請求の範囲】
【請求項１】
表示部と、
複数のワンタッチキーを含む入力部と、
制御部と、
を備え、複数種類の機能のうち設定されている機能モードに対応した機能を実行可能に構成された機能実行装置であって、
前記制御部は、
１つの前記ワンタッチキーに対し、前記入力部を介して入力される特定の登録操作に従い、前記複数種類の機能毎に、複数種類の設定項目のうち少なくとも１つの設定項目の設定値を特定の設定値に指定することを示す特定設定情報を登録する登録処理と、
前記機能モードを前記複数種類の機能のうちいずれかに対応した機能モードに設定するモード設定処理と、
何れかの前記ワンタッチキーが押下された場合に、その押下されたワンタッチキーに、現在設定されている前記機能モードに対応した機能の前記特定設定情報が登録されている場合、その特定設定情報が示す指定すべき前記特定の設定値を、対応する設定項目の設定値として設定するワンタッチ設定処理と、
前記ワンタッチ設定処理により前記特定の設定値が対応する設定項目の設定値として設定された状態で、現在設定されている前記機能モードに対応した機能を実行させるための特定の機能実行操作が前記入力部を介して入力された場合、現在設定されている前記設定値に従って、現在設定されている前記機能モードに対応した機能を実行する機能実行処理と、
を実行する機能実行装置。
【請求項２】
請求項１に記載の機能実行装置であって、
前記制御部は、
何れかの前記ワンタッチキーが押下された場合に、その押下されたワンタッチキーに、現在設定されている前記機能モードに対応した機能の前記特定設定情報が登録されていない場合、前記機能モードを、押下されたワンタッチキーに登録されている前記特定設定情報に対応した機能の機能モードに変更するモード変更処理、
を実行し、
前記ワンタッチ設定処理は、何れかの前記ワンタッチキーが押下された場合に前記モード変更処理が実行された場合、押下されたワンタッチキーに登録されている、変更後の前記機能モードに対応した前記特定設定情報が示す指定すべき前記特定の設定値を、対応する設定項目の設定値として設定するように構成されている、
機能実行装置。
【請求項３】
請求項２に記載の機能実行装置であって、
前記制御部は、
何れかの前記ワンタッチキーが押下された場合に、その押下されたワンタッチキーに、現在設定されている前記機能モードに対応した機能の前記特定設定情報が登録されていない場合、前記機能モードの変更の要否を問い合わせる変更要否メッセージを前記表示部に表示させるメッセージ表示処理と、
前記メッセージ表示処理による前記変更要否メッセージの表示後、前記機能モードの変更の要否を指定する要否指定操作を前記入力部を介して受け付ける要否受付処理と、
を実行し、
前記モード変更処理は、前記要否受付処理により前記機能モードの変更が指定された場合に、前記機能モードを、押下されたワンタッチキーに登録されている前記特定設定情報に対応した機能の機能モードに変更するように構成されている、
機能実行装置。
【請求項４】
請求項３に記載の機能実行装置であって、
前記ワンタッチ設定処理は、前記要否受付処理により前記機能モードの変更が指定されなかった場合に、押下された前記ワンタッチキーとは別の前記ワンタッチキーに、現在設定されている前記機能モードに対応した機能の前記特定設定情報が登録されている場合、当該別のワンタッチキーに登録されている前記特定設定情報が示す指定すべき前記特定の設定値を、対応する設定項目の設定値として設定するように構成されている、
機能実行装置。
【請求項５】
請求項１〜請求項４のいずれか１項に記載の機能実行装置であって、
前記ワンタッチ設定処理は、複数の前記ワンタッチキーが押下された場合に、その複数のワンタッチキーに、現在設定されている前記機能モードに対応した機能の前記特定設定情報が登録されている場合、その複数のワンタッチキーに登録されている各前記特定設定情報においてそれぞれ指定されている各前記特定の設定値を、対応する設定項目の設定値として設定するように構成されている、
機能実行装置。
【請求項６】
請求項１〜請求項５のいずれか１項に記載の機能実行装置であって、
前記制御部は、
前記複数のワンタッチキーに登録されている前記特定設定情報の内容を表示させるための表示要求操作を前記入力部を介して受け付ける表示要求受付処理と、
前記表示要求受付処理により前記表示要求操作が受け付けられた場合、前記複数のワンタッチキーに登録されている前記特定設定情報のうち、現在設定されている前記機能モードに対応した機能の前記特定設定情報を少なくとも１つ前記表示部に表示させる登録情報表示処理と、
を実行する、機能実行装置。
【請求項７】
請求項１〜請求項６のいずれか１項に記載の機能実行装置であって、
前記特定設定情報を設定するために操作されるオプションキーを備え、
前記制御部は、
前記オプションキーが押下された場合、現在設定されている前記機能モードに対応した前記設定項目の設定値を指定する設定操作を前記入力部を介して受け付ける設定受付処理、
を実行し、
前記登録処理は、前記設定受付処理により前記設定操作が受け付けられた場合、その設定操作により指定された前記設定値を前記特定の設定値として含む前記特定設定情報を、現在設定されている前記機能モードに対応した機能の前記特定設定情報として登録するように構成されている、
機能実行装置。
【請求項８】
表示部と、
複数のワンタッチキーと、
を備え、複数種類の機能のうち設定されている機能モードに対応した機能を実行可能に構成された機能実行装置において用いられる機能実行方法であって、
１つの前記ワンタッチキーに対し、入力される特定の登録操作に従い、前記複数種類の機能毎に、複数種類の設定項目のうち少なくとも１つの設定項目の設定値を特定の設定値に指定することを示す特定設定情報を登録する登録ステップと、
前記機能モードを前記複数種類の機能のうちいずれかに対応した機能モードに設定するモード設定ステップと、
何れかの前記ワンタッチキーが押下された場合に、その押下されたワンタッチキーに、
現在設定されている前記機能モードに対応した機能の前記特定設定情報が登録されている場合、その特定設定情報が示す指定すべき前記特定の設定値を、対応する設定項目の設定値として設定するワンタッチ設定ステップと、
前記ワンタッチ設定ステップにより設定された前記設定値に従って、現在設定されている前記機能モードに対応した機能を実行する機能実行ステップと、
を有する機能実行方法。
【請求項９】
複数種類の機能のうち設定されている機能モードに対応した機能を実行可能に構成された機能実行装置であって、
表示部と、
複数のワンタッチキーを含む入力部と、
制御部と、
を備え、複数種類の機能のうち設定されている機能モードに対応した機能を実行可能に構成された機能実行装置における、前記制御部が実行可能な機能実行プログラムであって、
前記制御部に、
１つの前記ワンタッチキーに対し、前記入力部を介して入力される特定の登録操作に従い、前記複数種類の機能毎に、複数種類の設定項目のうち少なくとも１つの設定項目の設定値を特定の設定値に指定することを示す特定設定情報を登録する登録処理と、
前記機能モードを前記複数種類の機能のうちいずれかに対応した機能モードに設定するモード設定処理と、
何れかの前記ワンタッチキーが押下された場合に、その押下されたワンタッチキーに、現在設定されている前記機能モードに対応した機能の前記特定設定情報が登録されている場合、その特定設定情報が示す指定すべき前記特定の設定値を、対応する設定項目の設定値として設定するワンタッチ設定処理と、
前記ワンタッチ設定処理により前記特定の設定値が対応する設定項目の設定値として設定された状態で、現在設定されている前記機能モードに対応した機能を実行させるための特定の機能実行操作が前記入力部を介して入力された場合、現在設定されている前記設定値に従って、現在設定されている前記機能モードに対応した機能を実行する機能実行処理と、
を実行させるための機能実行プログラム。
【発明の詳細な説明】
【技術分野】
【０００１】
本発明は、複数種類の機能のうち選択された１つを実行する技術に関する。
【背景技術】
【０００２】
特許文献１には、特定の機能をショートカットとして登録しておき、タッチパネルに表示される、当該ショートカットが登録されたショートカットキーを押下することで、登録されている機能を実行させることが可能な技術が記載されている。
【先行技術文献】
【特許文献】
【０００３】
【特許文献１】特開２０１５−２２５５９０号公報
【発明の概要】
【発明が解決しようとする課題】
【０００４】
複数種類の機能を実行可能な機能実行装置としては、タッチパネルを備えたものに限らず、例えば、表示面積が小さく且つタッチパネル機能を持たない表示デバイスを搭載したものも普及している。
【０００５】
このような機能実行装置においても、特定の機能をショートカットとして登録しておき、当該ショートカットが登録されたハードキーを押下することで、登録されている機能を実行させることが可能である。
【０００６】
しかし、このような機能実行装置では、登録可能なショートカットの数は、基本的にハードキーの数に依存する。そのため、登録可能なショートカットの数を多くしようとするほど、その数に相当する多くのハードキーを搭載することが要求される。
【０００７】
ショートカット登録可能なハードキーの数を抑制すると、ショートカット登録できない機能については、ユーザは、当該機能を実行させる度に必要な設定操作を逐一行う必要があり、使い勝手が良いとは言えない。
【０００８】
本発明は上記課題に鑑みなされたものであり、機能を実行させる際の設定操作の手間を低減でき、複数種類の機能をユーザが望む設定条件で容易且つ迅速に実行させることが可能な機能実行装置を提供することを目的とする。
【課題を解決するための手段】
【０００９】
本発明の機能実行装置は、表示部と、入力部と、制御部とを備え、複数種類の機能のうち設定されている機能モードに対応した機能を実行可能に構成されている。入力部は、複数のワンタッチキーを含む。制御部は、登録処理と、モード設定処理と、ワンタッチ設定処理と、機能実行処理とを実行する。
【００１０】
登録処理は、１つのワンタッチキーに対し、入力部を介して入力される特定の登録操作に従い、複数種類の機能毎に、複数種類の設定項目のうち少なくとも１つの設定項目の設定値を特定の設定値に指定することを示す特定設定情報を登録する処理である。モード設定処理は、機能モードを複数種類の機能のうちいずれかに対応した機能モードに設定する処理である。ワンタッチ設定処理は、何れかのワンタッチキーが押下された場合に、その押下されたワンタッチキーに、現在設定されている機能モードに対応した機能の特定設定
情報が登録されている場合、その特定設定情報が示す指定すべき特定の設定値を、対応する設定項目の設定値として設定する処理である。機能実行処理は、ワンタッチ設定処理により特定の設定値が対応する設定項目の設定値として設定された状態で、現在設定されている機能モードに対応した機能を実行させるための特定の機能実行操作が入力部を介して入力された場合、現在設定されている設定値に従って、現在設定されている機能モードに対応した機能を実行する処理である。
【００１１】
このような構成によれば、１つのワンタッチキーに対して、機能モード毎に個別に特定設定情報を登録することができる。そして、いずれかの機能モードに設定されているときにワンタッチキーが押下された場合、そのワンタッチキーに現在の機能モードに対応した特定設定情報が登録されていれば、その登録されている現在の機能モードに対応した特定設定情報に従って、現在の機能モードに対応した機能が実行される。
【００１２】
そのため、ユーザは、機能を実行させる際の設定操作の手間を低減でき、複数種類の機能をユーザが望む設定条件で容易且つ迅速に実行させることが可能となる。
【図面の簡単な説明】
【００１３】
【図１】実施形態の機能実行装置の構成を示すブロック図である。
【図２】操作パネルを示す説明図である。
【図３】ワンタッチ登録テーブルを示す説明図である。
【図４】ワンタッチ登録処理を示すフローチャートである。
【図５】機能実行処理を示すフローチャートの一部である。
【図６】機能実行処理を示すフローチャートの一部（図５の続き）である。
【図７】オプション設定情報の登録時の画面遷移例を示す説明図である。
【図８】オプション設定情報の登録時の画面遷移例を示す説明図（図７の続き）である。
【図９】現機能モードのオプション設定情報が登録されているワンタッチキーが押下された場合の画面遷移例を示す説明図である。
【図１０】現機能モードのオプション設定情報が登録されていないワンタッチキーが押下された場合の画面遷移例を示す説明図である。
【発明を実施するための形態】
【００１４】
以下、本発明の実施形態について、図面を参照しながら説明する。
［１．実施形態］
（１−１）機能実行装置の構成
図１に示す実施形態の機能実行装置１０は、原稿の画像を読み取ってその読み取った画像の画像データを生成するスキャン機能、記録紙への画像の印刷を行う印刷機能、スキャン機能により読み取った画像を印刷機能により記録紙に印刷するコピー機能、ファクシミリデータの送受信を行うファクス機能などの、複数種類の機能を備えている。
【００１５】
機能実行装置１０は、図１に示すように、制御部１１と、記憶部１２と、表示部１３と、入力部１４と、画像読取部１５と、印刷部１６と、メディアインタフェース部１７と、第１通信部１８と、第２通信部１９とを備え、これらがバス２０を介して相互に接続されている。なお、メディアインタフェース部のことを、以下「メディアＩ／Ｆ」と略称する。
【００１６】
制御部１１はＣＰＵを有する。記憶部１２は、例えばＲＯＭ、ＲＡＭ、ＮＶＲＡＭ、フラッシュメモリなどの半導体メモリを有する。即ち、機能実行装置１０は、ＣＰＵ及び半導体メモリを含むマイクロコンピュータを備えている。
【００１７】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００１８】
記憶部１２には、各種プログラムやデータ等が記憶されている。記憶部１２に記憶されている各種プログラム及びデータには、図３に示すワンタッチ登録テーブルのデータと、図４に示すワンタッチ登録処理のプログラムと、図５に示す機能実行処理のプログラムとが含まれる。
【００１９】
表示部１３は、例えば液晶ディスプレイや有機ＥＬディスプレイなどの、画像を表示可能な表示デバイスを有する。本実施形態の表示部１３は、文字列を最大２行表示させることが可能な、表示面積が比較的小さい構成となっている。入力部１４は、各種入力操作を受け付けるための入力用デバイスを有する。
【００２０】
画像読取部１５は、イメージセンサを備え、原稿の画像を読み取り、読み取った画像の画像データを生成する。印刷部１６は、インクジェット技術や電子写真技術の印刷機構を有し、シート状の記録紙に、画像データに基づく画像を印刷することが可能である。
【００２１】
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００２２】
第１通信部１８は、機能実行装置１０をデータ通信用のネットワークに接続するための通信インタフェースである。第１通信部１８は、例えば、有線ＬＡＮ、無線ＬＡＮ、インターネットなどの各種ネットワークの少なくとも１つに接続可能であってもよい。機能実行装置１０は、第１通信部１８を介して、パソコンやスマートフォン、タブレット端末などの各種情報処理装置と有線又は無線にてデータ通信可能であってもよい。また、機能実行装置１０は、第１通信部１８を介してインターネットに接続し、インターネットを介して、他の各種サーバや各種情報処理装置などとデータ通信可能であってもよい。
【００２３】
第２通信部１９は、通信回線１００を通じて外部機器と通信を行うためのインタフェース部である。第２通信部１９に接続される通信回線１００は、本実施形態では例えば公衆電話網である。ファクス機能におけるファクシミリデータの送受信は、基本的には、第２通信部１９を介して行われる。
【００２４】
（１−２）操作パネルの説明
本実施形態の機能実行装置１０は、図２に示すような操作パネル２５を備えており、この操作パネル２５に、表示部１３と、入力部１４が有する各種構成要素とが配置されている。具体的に、操作パネル２５には、入力部１４が有する構成要素として、ファクスモードキー３１と、スキャンモードキー３２と、コピーモードキー３３と、オプションキー３４と、テンキー３５と、ＯＫキー４０と、上方向キー４１と、下方向キー４２と、左方向キー４３と、右方向キー４４と、クリアキー４６と、スタートキー４７と、ワンタッチキーパネル５０と、シフトキー５５とが配置されている。
【００２５】
ファクスモードキー３１は、機能モードをファクスモードに設定するためのキーである。ファクスモードキー３１が押下されて機能モードがファクスモードに設定されると、ファクス機能を利用可能な状態となる。スキャンモードキー３２は、機能モードをスキャンモードに設定するためのキーである。スキャンモードキー３２が押下されて機能モードが
スキャンモードに設定されると、スキャン機能を利用可能な状態となる。コピーモードキー３３は、機能モードをコピーモードに設定するためのキーである。コピーモードキー３３が押下されて機能モードがコピーモードに設定されると、コピー機能を利用可能な状態となる。
【００２６】
スタートキー４７は、設定されている機能モードに応じた機能を開始させるために押下されるキーである。テンキー３５は、ダイヤル時や各種設定値の入力時などの数値入力を行う際に押下されるキーである。テンキー３５は、詳しくは、「０」〜「９」までの数字を示す１０個のキーと、「＊」及び「♯」の記号を示す２個のキーとを備えている。
【００２７】
ワンタッチキーパネル５０は、ワンタッチ機能を実行させるための複数のキーを有する。具体的に、ワンタッチキーパネル５０は、第１キー５１と、第２キー５２と、第３キー５３と、第４キー５４とを有する。第１キー５１〜第４キー５４の４つのキーは、それぞれ、物理的には１つのキーであるが、シフトキー５５との組合せによって２種類のキーとして機能する。
【００２８】
即ち、第１キー５１は、当該第１キー５１が単独で押下された場合には第１ワンタッチキーとして機能し、シフトキー５５が押下された状態で当該第１キー５１が押下された場合には第５ワンタッチキーとして機能する。よって、以下の説明で、「第１ワンタッチキー」について「押下」されるとは第１キー５１が単独で押下されることを意味し、「第５ワンタッチキー」について「押下」されるとはシフトキー５５が押下された状態で第１キー５１が押下されることを意味する。
【００２９】
第２キー５２は、当該第２キー５２が単独で押下された場合には第２ワンタッチキーとして機能し、シフトキー５５が押下された状態で当該第２キー５２が押下された場合には第６ワンタッチキーとして機能する。よって、以下の説明で、「第２ワンタッチキー」について「押下」されるとは第２キー５２が単独で押下されることを意味し、「第６ワンタッチキー」について「押下」されるとはシフトキー５５が押下された状態で第２キー５２が押下されることを意味する。
【００３０】
第３キー５３は、当該第３キー５３が単独で押下された場合には第３ワンタッチキーとして機能し、シフトキー５５が押下された状態で当該第３キー５３が押下された場合には第７ワンタッチキーとして機能する。よって、以下の説明で、「第３ワンタッチキー」について「押下」されるとは第３キー５３が単独で押下されることを意味し、「第７ワンタッチキー」について「押下」されるとはシフトキー５５が押下された状態で第３キー５３が押下されることを意味する。
【００３１】
第４キー５４は、当該第４キー５４が単独で押下された場合には第４ワンタッチキーとして機能し、シフトキー５５が押下された状態で当該第４キー５４が押下された場合には第８ワンタッチキーとして機能する。よって、以下の説明で、「第４ワンタッチキー」について「押下」されるとは第４キー５４が単独で押下されることを意味し、「第８ワンタッチキー」について「押下」されるとはシフトキー５５が押下された状態で第４キー５４が押下されることを意味する。
【００３２】
オプションキー３４は、各機能を実行させる際における、その機能の実行に必要な複数種類のオプション項目の設定値をテンポラリ設定する際に押下されるキーである。テンポラリ設定とは、一時的に設定することを意味する。テンポラリ設定された設定値は、当該設定値に基づいて機能が実行された後は、特定の初期値にクリアされる。
【００３３】
なお、ファクス機能においては、オプション項目として、例えば、解像度、コントラス
ト、原稿スキャンサイズ、タイマー送信、リアルタイム送信、送付書設定、海外送信モード、などの複数種類のオプション項目があり、それぞれ複数の設定値の中から何れかを選択できる。
【００３４】
コピー機能においても、オプション項目として、例えば、原稿濃度、拡大／縮小、両面コピー、コピー画質、などの複数種類のオプション項目があり、それぞれ複数の設定値の中から何れかを選択できる。
【００３５】
（１−３）ワンタッチ機能の説明
機能実行装置１０が備える各種機能を利用する際には、通常、ユーザは複数の手順を踏んで実行させる必要がある。例えば、コピー機能を利用したい場合、機能モードをコピーモードに設定した後、オプションキー３４を押下して、コピー機能の実行に必要な各種オプション項目の設定値を必要に応じて設定、確認等する作業が必要となる。そのため、各種機能をそのような通常の手順で実行させようとすると手間がかかる。
【００３６】
これに対し、ユーザは、各ワンタッチキーに対し、基本登録情報として、電話番号又はファクス番号と名前とを登録することができる。ユーザは、任意のワンタッチキーに対して電話番号又はファクス番号と名前を登録すれば、そのワンタッチキーを押下するだけでその登録されている番号へ自動的に発呼させることができる。
【００３７】
さらに、本実施形態の機能実行装置１０は、各ワンタッチキーに対し、基本登録情報とは別に、オプション設定情報を登録しておくことができる。オプション設定情報とは、少なくとも１つのオプション項目の設定値を示す情報である。
【００３８】
しかも、オプション設定情報の登録は、各ワンタッチキーに対し、複数の機能モードに対応した機能毎に個別に登録可能である。具体的に、本実施形態では、コピー機能、ファクス機能及びスキャン機能のそれぞれのオプション設定情報を、個別に、各ワンタッチキーに対して登録可能である。
【００３９】
ユーザは、任意のワンタッチキーに対してオプション設定情報を登録しておけば、そのオプション設定情報に対応した機能モードでそのワンタッチキーを押下するだけで、その登録されているオプション設定情報が示す設定値が自動的にテンポラリ設定される。よって、ユーザは、よく使用する設定値をワンタッチキーに登録しておくことで、その設定値を容易に呼び出してテンポラリ設定させることができる。
【００４０】
各ワンタッチキーに対する基本登録情報及びオプション設定情報の登録内容は、ワンタッチ登録テーブルとして、記憶部１２に記憶される。ワンタッチ登録テーブルの一例を図３に示す。図３に例示するように、ワンタッチ登録テーブルには、ワンタッチキー毎に、基本登録情報と、オプション設定情報とが登録される。オプション設定情報は、複数の機能毎に個別に登録される。
【００４１】
図３に例示するワンタッチ登録テーブルでは、例えば第３ワンタッチキーには、基本登録情報が登録されているのに加えて、ファクス機能のオプション設定情報が登録されている。またそのオプション設定情報の具体的内容は、ファクス解像度の設定値をスーパーファインに設定することを指示する内容となっている。よって、ファクスモード時に第３ワンタッチキーが押下されると、ファクス番号が自動的に設定されると共に、ファクス解像度としてスーパーファインがテンポラリ設定される。その後、スタートキー４７が押下されると、少なくともファクス解像度についてはそのテンポラリ設定されたスーパーファインが適用されてファクス機能が実行される。
【００４２】
（１−４）ワンタッチ登録処理
ワンタッチキーにオプション設定情報を登録するために制御部１１が実行するワンタッチ登録処理について、図４を用いて説明する。制御部１１は、起動後、図４のワンタッチ登録処理を実行する。なお、以下の説明では、適宜、図７及び図８も参照する。
【００４３】
制御部１１は、ワンタッチ登録処理を開始すると、Ｓ１１０で、表示部１３に、現在設定されている機能モードに対応した待機画面６０を表示させる。待機画面６０の一例を図７に示す。図７は、機能モードがファクスモードに設定されている例を示している。そのため、図７に示す待機画面６０は、ファクスモードに対応した内容となっている。
【００４４】
Ｓ１２０では、オプションキー３４が押下されたか否か判断する。オプションキー３４が押下されていない場合は待機画面６０の表示を継続する。オプションキー３４が押下された場合は、Ｓ１３０に進む。Ｓ１３０では、表示部１３にオプション項目画面６１を表示させる。
【００４５】
オプション項目画面６１の一例を図７に示す。オプション項目画面６１は、現在の機能モードに対応した機能のオプション項目のうち１つが表示される画面である。オプション項目画面６１を表示させている状態で、下方向キー４２又はオプションキー３４が押下された場合は、押下される度に、オプション項目画面６１に表示させるオプション項目を、特定の切替順で順次切り替える。逆に、上方向キー４１が押下された場合は、押下される度に、オプション項目画面６１に表示させるオプション項目を、上記切替順とは逆の順番で順次切り替える。
【００４６】
また、オプション項目画面６１には、現在の機能モードの設定値をオプション設定情報としてワンタッチキーに登録可能であることをユーザに報知するための、「ワンタッチキーに設定登録可能です」という内容のメッセージが表示される。なお、このメッセージのテキスト数は、表示部１３において１行内に収められる文字数の上限を超えている。そのため、このメッセージは、例えば、一定速度で左方向にスクロールされながら表示される。
【００４７】
オプション項目画面６１を表示させている状態で、ＯＫキー４０又は右方向キー４４が押下された場合は、Ｓ１４０に進む。
Ｓ１４０では、オプション項目画面６１に現在表示されているオプション項目の設定値を選択させるための設定画面６２を、表示部１３に表示させる。設定画面６２の一例を図７に示す。図７には、オプション項目画面６１にオプション項目としてファクス解像度が表示されている状態でＯＫキー４０又は右方向キー４４が押下された場合の設定画面６２が例示されている。つまり、図７に示す設定画面６２は、ファクス解像度の設定値を選択させるための設定画面である。
【００４８】
設定画面６２を表示させている状態で、下方向キー４２が押下された場合は、押下される度に、設定画面６２に表示させる設定値を、特定の切替順で順次切り替える。逆に、上方向キー４１が押下された場合は、押下される度に、設定画面６２に表示させる設定値を、上記切替順とは逆の順番で順次切り替える。
【００４９】
ユーザは、下方向キー４２又は上方向キー４１を操作することで、設定対象のオプション項目の設定値を選択できる。そして、いずれかの設定値が表示されている状態で、ＯＫキー４０が押下された場合は、その表示されている設定値を登録対象設定値として保持し、Ｓ１５０に進む。
【００５０】
Ｓ１５０では、表示部１３に、ワンタッチ登録要否問合せ画面６３を表示させ、ユーザ
によるキー入力を受け付ける。ワンタッチ登録要否問合せ画面６３の一例を、図８に示す。図８に示すように、ワンタッチ登録要否問合せ画面６３には、「ワンタッチキーに登録しますか？」というメッセージがスクロール表示される。
【００５１】
また、ワンタッチ登録要否問合せ画面６３には、「ＹＥＳ」、「ＮＯ」、「番号押下」のいずれかを選択させるメッセージも表示される。「ＹＥＳ」の選択は、テンキー３５における数字「１」のキーを押下することにより可能である。なお、以下の説明では、テンキー３５における数字「ｎ」（ｎは０〜９のいずれか）のキーを、「テンキー「ｎ」」と称する。「ＮＯ」の選択は、テンキー「２」を押下することにより可能である。「番号押下」については、登録させたいワンタッチキーをユーザ自ら押下することにより選択可能である。
【００５２】
Ｓ１６０では、ユーザにより押下されたキーを判断する。テンキー「２」の押下により「ＮＯ」が選択された場合は、Ｓ１３０に戻り、表示部１３にオプション項目画面６１を表示させる。具体的には、例えば、ワンタッチ登録要否問合せ画面６３を表示させる直前に表示させていたオプション項目画面６１を再び表示させる。
【００５３】
Ｓ１６０において、テンキー「１」の押下により「ＹＥＳ」が選択された場合は、Ｓ１７０に進む。Ｓ１７０では、登録対象設定値と同じ設定値が既にいずれかのワンタッチキーにオプション設定情報として登録されているか否か判断する。なお、ここでいう登録対象設定値と同じ設定値とは、対応するオプション項目及び機能も全て登録対象設定値と同じであることを意味する。
【００５４】
登録対象設定値と同じ設定値が既にワンタッチキーに登録されている場合は、Ｓ１８０に進む。Ｓ１８０では、表示部１３に、既登録通知画面６６を表示させる。既登録通知画面６６の一例を、図８に示す。図８においてパターンＡ３として例示されている画面が、既登録通知画面６６である。既登録通知画面６６には、登録対象設定値が既に登録されていること、及びその登録されているワンタッチキーの番号を示すメッセージが表示される。
【００５５】
既登録通知画面６６は、一定時間（例えば２秒）継続して表示させる。そして、既登録通知画面６６の表示開始から一定時間経過したら、Ｓ１３０に戻り、表示部１３にオプション項目画面６１を表示させる。
【００５６】
Ｓ１７０で、登録対象設定値と同じ設定値がまだどのワンタッチキーにも登録されていない場合は、Ｓ１９０に進む。Ｓ１９０では、登録可能な空きワンタッチキーがあるか否か判断する。即ち、各ワンタッチキーの中に、登録対象設定値の機能モードと同じ機能モードのオプション設定情報がまだ登録されていないワンタッチキーがあるか否か判断する。
【００５７】
空きワンタッチキーがない場合は、Ｓ２００に進む。Ｓ２００では、表示部１３に、空き無し通知画面を表示させる。空き無し通知画面には、全てのワンタッチキーに同じ機能モードのオプション設定情報が既に登録されていて新規の登録ができないことを示すメッセージが表示される。空き無し通知画面は、一定時間（例えば２秒）継続して表示させる。そして、空き無し通知画面の表示開始から一定時間経過したら、Ｓ１３０に戻り、表示部１３にオプション項目画面６１を表示させる。
【００５８】
Ｓ１９０で、登録可能な空きワンタッチキーがある場合は、Ｓ２１０に進む。Ｓ２１０では、登録可能なワンタッチキーのうちいずれかに、登録対象設定値を登録する。具体的に、ワンタッチ登録テーブルに、登録対象設定値をオプション設定情報として新規追加又
は更新する。これにより、特定の機能における特定のオプション項目の設定値が新たにオプション設定情報としてワンタッチキーに登録されたことになる。なお、登録可能なワンタッチキーが複数ある場合にどのワンタッチキーに登録するかについては、適宜決めることができる。
【００５９】
Ｓ２２０では、表示部１３に登録通知画面６５を表示させる。登録通知画面６５の一例を、図８に示す。図８には、パターンＡ１とパターンＡ２の二種類の登録通知画面６５が示されている。
【００６０】
パターンＡ１の登録通知画面６５は、シフトキー５５の押下を伴わないワンタッチキー、即ち第１ワンタッチキー〜第４ワンタッチキーのいずれかに登録された場合に表示される画面である。
【００６１】
パターンＡ２の登録通知画面６５は、シフトキー５５の押下を伴うワンタッチキー、即ち第５ワンタッチキー〜第８ワンタッチキーのいずれかに登録された場合に表示される画面である。パターンＡ２の登録通知画面６５には、オプション設定情報が登録されたこと及び登録されたワンタッチキーの番号が表示されるのに加えて、登録されたワンタッチキーの操作方法を示すメッセージがスクロール表示される。
【００６２】
登録通知画面６５は、一定時間（例えば２秒）継続して表示させる。そして、登録通知画面６５の表示開始から一定時間経過したら、Ｓ１３０に戻り、表示部１３にオプション項目画面６１を表示させる。
【００６３】
Ｓ１６０において、ユーザによりいずれかのワンタッチキーが押下された場合は、Ｓ２３０に進む。Ｓ２３０では、押下されたワンタッチキーに、同じ機能モードの別のオプション設定情報が登録済みか否か判断する。既に別のオプション設定情報が登録済みの場合は、Ｓ１９０に進む。この場合は、ワンタッチ登録要否問合せ画面６３で「ＹＥＳ」が選択された場合におけるＳ１９０以降の処理と同様の処理が行われる。ただしこの場合、Ｓ２２０では、図８に例示する登録通知画面６４のように、ユーザにより押下されたワンタッチキーに既に別のオプション設定情報が登録済みであったことを示すメッセージを含む登録通知画面６４を表示させる。
【００６４】
Ｓ２３０で、押下されたワンタッチキーに同じ機能モードの別のオプション設定情報が登録されていない場合は、Ｓ２４０に進む。Ｓ２４０では、押下されたワンタッチキーに、登録対象設定値を登録する。Ｓ２４０の処理後はＳ２２０に進む。
【００６５】
なお、図４のフローチャートでは図示を省略したが、オプション項目画面６１が表示されているときに、いずれかのワンタッチキーが押下された場合は、図８に例示するように、登録内容確認画面６７が一定時間（例えば２秒）表示される。登録内容確認画面６７には、押下されたワンタッチキーに登録されているオプション設定情報のうち、現在の機能モードに対応したオプション設定情報が表示される。
【００６６】
（１−５）機能実行処理
次に、ワンタッチキーの押下に応じて機能を実行するための機能実行処理について、図５、図６を用いて説明する。制御部１１は、起動後、図５、図６の機能実行処理を実行する。なお、以下の説明では、適宜、図９及び図１０も参照する。
【００６７】
制御部１１は、機能実行処理を開始すると、Ｓ３１０で、表示部１３に、現在設定されている機能モードに対応した待機画面６０を表示させる。待機画面６０の一例を図９に示す。図９に示す待機画面６０は、図７の待機画面６０と同様、機能モードがファクスモー
ドに設定されている場合の待機画面６０の一例である。
【００６８】
Ｓ３２０では、ファクスモードキー３１、スキャンモードキー３２及びコピーモードキー３３の３つのモードキーのうちいずれかが押下されたか否か判断する。いずれかのモードキーが押下された場合は、Ｓ３３０で、機能モードを、押下されたモードキーに対応した機能モードに変更する。Ｓ３３０の処理後はＳ３１０に戻り、変更後の機能モードに応じた待機画面６０を表示させる。
【００６９】
Ｓ３２０で、いずれのモードキーも押下されていない場合は、Ｓ３４０に進む。Ｓ３４０では、ワンタッチキーが押下されたか否か判断する。ワンタッチキーが押下されていない場合はＳ３１０に戻る。ワンタッチキーが押下された場合はＳ３５０に進む。Ｓ３５０では、ワンタッチ登録テーブルに基づき、押下されたワンタッチキーに、いずれかの機能モードに対応したオプション設定情報が登録されているか否か判断する。
【００７０】
押下されたワンタッチキーにオプション設定情報が全く登録されていない場合は、Ｓ３６０に進む。Ｓ３６０では、表示部１３に、未登録通知画面８０を表示させる。未登録通知画面８０の一例を図９に示す。図９に示す未登録通知画面８０は、ファクスモード時に第８ワンタッチキーが押下された場合に表示される未登録通知画面８０の一例である。図３のワンタッチ登録テーブルに示すように、第８ワンタッチキーにはどの機能モードに対してもオプション設定情報が登録されていない。そのため、ファクスモード時に第８ワンタッチキーが押下された場合は、未登録通知画面８０には、オプション設定情報が登録されていないことを示すメッセージと、現在のファクスモードをそのまま維持して使用するかどうかを問うメッセージと、が表示される。
【００７１】
Ｓ３６０で未登録通知画面８０を表示させた後、Ｓ３７０で、処理を続行するか否か判断する。具体的には、ユーザによりテンキー「１」及びテンキー「２」のどちらが押下されたかを判断する。テンキー「２」の押下により「ＮＯ」が選択された場合は、Ｓ３１０に戻る。テンキー「１」の押下により「ＹＥＳ」が選択された場合、即ち現在の機能モードをそのまま維持して使用することが選択された場合は、図６のＳ５００に進む。
【００７２】
Ｓ３５０で、押下されたワンタッチキーにいずれかの機能モードに対応したオプション設定情報が登録されている場合は、Ｓ３８０に進む。Ｓ３８０では、ワンタッチ登録テーブルに基づき、押下されたワンタッチキーに、現在の機能モードに対応したオプション設定情報が登録されているか否か判断する。押下されたワンタッチキーに現在の機能モードに対応したオプション設定情報が登録されている場合は、Ｓ３９０に進む。
【００７３】
Ｓ３９０では、押下されたワンタッチキーに登録されている、現在の機能モードに対応したオプション設定情報を、テンポラリ設定する。即ち、オプション設定情報が示す、指定すべきオプション項目の設定値を、テンポラリ設定する。なお、Ｓ３９０では、現在の機能モードがファクスモードであって、基本登録情報が登録されている場合は、その基本登録情報についてもテンポラリ設定する。Ｓ４００では、表示部１３に設定値確認画面７０を表示させる。設定値確認画面７０の一例を図９に示す。
【００７４】
例えば、ファクスモード時に第３ワンタッチキーが押下されると、第３ワンタッチキーに登録されている、基本登録情報としてのファクス番号およびオプション設定情報としてのファクス解像度の設定値が、テンポラリ設定される。この場合、設定値確認画面７０には、図９に例示するように、テンポラリ設定されたファクス番号「０５２−１２３−３３３３３」および解像度の設定値「スーパーファイン」が表示される。
【００７５】
なお、図５のフローチャートでは省略したが、設定値確認画面７０が表示されている状
態で、現在の機能モードのオプション設定情報が登録されている別のワンタッチキーが押下された場合は、そのオプション設定情報もさらにテンポラリ設定される。
【００７６】
例えば、図９に示すように第３ワンタッチキーのオプション設定情報がテンポラリ設定された状態で、さらに例えば第７ワンタッチキーが押下された場合は、第７ワンタッチキーに登録されているファクスモードのオプション設定情報に基づき、コントラストの設定値として「暗」がテンポラリ設定される。この場合、設定値確認画面７０の内容は、今回追加でテンポラリ設定されたオプション設定情報の内容に一時的に切り替わる。そして、一定時間（例えば２秒）経過後に、設定値確認画面７０の内容は、基本登録情報とオプション設定情報とを示す内容に切り替わる。
【００７７】
Ｓ４００で設定値確認画面７０を表示させた後、Ｓ４１０で、ユーザにより押下されたキーを判断する。設定値確認画面７０が表示されている状態で、スタートキー４７が押下された場合は、Ｓ４４０に進む。Ｓ４４０では、現在の機能モードに対応した機能を、Ｓ３９０でテンポラリ設定された設定値を含む、各種オプション項目の設定値に従って、実行する。機能実行中は、図９に例示する機能実行中画面７１が表示される。機能実行中画面７１には、実行中の機能の具体的内容を示すメッセージが表示される。
【００７８】
実行中の機能が完了すると、Ｓ４５０に進む。Ｓ４５０では、テンポラリ設定されている設定値を初期値にクリアして、Ｓ３１０に進む。
Ｓ４１０で、設定値確認画面７０が表示されている状態で上方向キー４１又は下方向キー４２が押下された場合は、Ｓ４２０に進む。Ｓ４２０では、設定値確認画面７０に現在表示されている設定値以外に、テンポラリ設定されている別のワンタッチキーの設定値があるか否か判断する。現在表示されている設定値以外にはテンポラリ設定されている設定値がない場合は、Ｓ４００に戻る。現在表示されている設定値とは別にテンポラリ設定されている設定値がある場合は、Ｓ４３０に進む。Ｓ４３０では、現在表示されている設定値とは別にテンポラリ設定されている他のワンタッチキーのオプション設定情報を、表示対象に設定して、Ｓ４００に進む。この場合、Ｓ４００では、設定値確認画面７０に表示させる、オプション設定情報に対応した設定値を、Ｓ４３０で表示対象に設定されたオプション設定情報が示す設定値に変更する。
【００７９】
Ｓ４１０で、設定値確認画面７０が表示されている状態でＯＫキー４０が押下された場合は、図６のＳ５００に進む。また、Ｓ３８０で、押下されたワンタッチキーに現在の機能モードに対応したオプション設定情報が登録されていない場合は、図６のＳ４６０に進む。
【００８０】
図６に示すように、Ｓ４６０では、表示部１３に、機能モード変更問合画面７６を表示させる。機能モード変更問合画面７６の一例を、図１０に示す。図１０の機能モード変更問合画面７６は、ファクスモード時に第４ワンタッチキーが押下された場合に表示される機能モード変更問合画面７６を例示している。
【００８１】
図３に示すように、本実施形態では、第４ワンタッチキーには、コピーモードに対応したオプション設定情報は登録されているが、ファクスモードに対応したオプション設定情報は登録されていない。そのため、機能モード変更問合画面７６には、現在のファクスモードに対応したオプション設定情報が登録されていないことを示すメッセージを表示させる。オプション設定情報が全く登録されていない場合は、登録されていないことを直接示すメッセージを表示させる。一方、現在の機能モードとは異なる機能のオプション設定情報が登録されている場合は、他の機能モードのオプション設定情報が登録されているワンタッチキーであることを示すメッセージと、機能モードを当該他の機能モードに切り替えるか否かをユーザに問うモード切替問合せメッセージと、を表示させる。
【００８２】
なお、図１０の機能モード変更問合画面７６においては、コピーモードのオプション設定情報が登録されているワンタッチキーであること、及び機能モードをコピーモードに切り替えるか否かをユーザに問う、「コピー用のキーです。コピーモードに切り替えますか？」というメッセージが、スクロール表示されている。
【００８３】
Ｓ４７０では、ユーザによる、機能モードの変更要否を示すキー入力を受け付ける。機能モード変更問合画面７６が表示された場合、ユーザは、テンキー「１」又は「２」を押下することで、機能モードを切り替えるか否かを選択できる。
【００８４】
Ｓ４８０では、Ｓ４７０で受け付けたキー入力に基づき、ユーザにより機能モードの変更が要求されたか否か判断する。テンキー「１」が押下されたことにより機能モードの変更が要求された場合は、Ｓ４９０に進む。Ｓ４９０では、機能モードを変更する。機能モードの変更後は、図５のＳ３９０に進む。この場合、Ｓ３９０では、変更後の機能モードに対応したオプション設定情報をテンポラリ設定する。そして、Ｓ４００では、そのテンポラリ設定したオプション設定情報の内容を設定値確認画面７０に表示させる。
【００８５】
図１０には、ファクスモード時に第４ワンタッチキーが押下されたものの、機能モードがコピーモードに変更されたことによって、コピーモードのオプション設定情報がテンポラリ設定された場合の、設定値確認画面７０の一例が示されている。なお、テンポラリ設定されたオプション設定情報の表示後、一定時間（例えば２秒）経過したら、設定値確認画面７０に、コピー部数の設定を促す部数設定メッセージを表示させる。
【００８６】
設定値確認画面７０に部数設定メッセージが表示されている状態で、ユーザは、テンキーを押下することで、コピー部数を設定することができる。テンキーでコピー部数を設定した後、スタートキー４７を押下すると、設定した部数のコピーが実行される。
【００８７】
Ｓ４８０で、機能モード変更問合画面７６が表示されている状態でテンキー「２」が押下されたことにより機能モードの変更が要求されなかった場合は、Ｓ５００に進む。なお、Ｓ５００の処理は、前述の通り、Ｓ４１０においてＯＫキー４０が押下された場合、即ち、図９及び図１０に例示する設定値確認画面７０が表示されている状態で、ＯＫキー４０が押下された場合にも実行される。さらに、Ｓ５００の処理は、前述の通り、Ｓ３７０で否定判定された場合、即ち、図９に例示する未登録通知画面８０が表示されている状態でテンキー「１」の押下により「ＹＥＳ」が選択された場合にも実行される。
【００８８】
Ｓ５００では、現在の機能モードの登録項目確認画面７２を表示させる。登録項目確認画面７２の具体例は図９及び図１０に示す通りである。登録項目確認画面７２には、現在の機能モードに対応したオプション設定情報が登録されているワンタッチキーを表示対象として、その表示対象のワンタッチキーを示す情報、及び、そのワンタッチキーに登録されている、現在の機能モードに対応したオプション設定情報のオプション項目を示す情報が表示される。
【００８９】
Ｓ５００で登録項目確認画面７２を表示させた後、Ｓ５１０では、ユーザにより押下されたキーを判断する。登録項目確認画面７２が表示されている状態で、クリアキー４６が押下された場合は、図５のＳ４００に進む。つまり、設定値確認画面７０を表示させる。
【００９０】
ただし、Ｓ４６０〜Ｓ４８０の処理を経て登録項目確認画面７２が表示された状態でクリアキー４６が押下された場合に、テンポラリ設定されているオプション設定情報が全く無い場合は、Ｓ４００に移行せず、Ｓ３１０に戻って待機画面６０を表示させる。なお、Ｓ４６０〜Ｓ４８０の処理を経て登録項目確認画面７２を表示させる場合は、現在の機能
モードに対応したオプション設定情報が登録されているワンタッチキーを１つ指定して、その指定したワンタッチキーに登録されているオプション設定情報をテンポラリ設定してもよい。その際、Ｓ５００では、その指定したワンタッチキーを示す登録項目確認画面７２を表示させてもよい。
【００９１】
Ｓ５１０で、上方向キー４１又は下方向キー４２が押下された場合は、Ｓ５２０に進む。Ｓ５２０では、今回押下されたワンタッチキーとは別のワンタッチキーに現在の機能モードに対応したオプション設定情報が登録されているか否か判断する。今回押下されたワンタッチキー以外に、現在の機能モードに対応したオプション設定情報が登録されていない場合は、Ｓ５００に戻る。つまり、現在表示させている登録項目確認画面７２をそのまま表示させる。
【００９２】
今回押下されたワンタッチキーとは別のワンタッチキーに現在の機能モードに対応したオプション設定情報が登録されている場合は、Ｓ５３０に進む。Ｓ５３０では、現在の機能モードに対応したオプション設定情報が登録されている別のワンタッチキーを表示対象に設定して、Ｓ５００に戻る。この場合、登録項目確認画面７２の内容が、Ｓ５３０で表示対象に設定されたワンタッチキーを示す内容に切り替わる。
【００９３】
Ｓ５１０で、ＯＫキー４０が押下された場合は、Ｓ５４０に進む。Ｓ５４０では、登録内容確認画面７３を表示させる。登録内容確認画面７３には、図９及び図１０に例示するように、直前に表示されていた登録項目確認画面７２において表示されていたオプション項目の設定値が表示される。
【００９４】
Ｓ５５０では、ユーザにより押下されたキーを判断する。登録内容確認画面７３が表示されている状態で、クリアキー４６が押下された場合は、Ｓ５００に戻る。つまり、直前に表示されていた登録項目確認画面７２を再び表示させる。登録内容確認画面７３が表示されている状態で、ＯＫキー４０が押下された場合は、図５のＳ３９０に進む。この場合、登録内容確認画面７３に表示させているオプション項目の設定値をテンポラリ設定する。
【００９５】
（１−６）実施形態の効果
以上説明した実施形態によれば、以下の（１ａ）〜（１ｄ）の効果を奏する。
（１ａ）本実施形態では、ユーザは、１つのワンタッチキーに対して、基本登録情報に加えて、オプション設定情報も登録できる。しかも、オプション設定情報は、機能モード毎に個別に登録できる。そのため、ユーザは、実行頻度の高いオプション設定情報を多数登録でき、様々な実行条件での機能実行を容易に実現できる。
【００９６】
（１ｂ）このような構成によれば、１つのワンタッチキーに対して、機能モード毎に個別に特定設定情報を登録することができる。そして、いずれかの機能モードに設定されているときにワンタッチキーが押下された場合、そのワンタッチキーに現在の機能モードに対応した特定設定情報が登録されていれば、その登録されている現在の機能モードに対応した特定設定情報に従って、現在の機能モードに対応した機能が実行される。
【００９７】
そのため、ユーザは、機能を実行させる際の設定操作の手間を低減でき、複数種類の機能をユーザが望む設定条件で容易且つ迅速に実行させることが可能となる。
（１ｃ）ワンタッチキーが押下された場合に、その押下されたワンタッチキーに、現在設定されている機能モードに対応した機能のオプション設定情報が登録されていない場合は、機能モードの変更の要否を問う機能モード変更問合画面７６が表示される。ユーザは、機能モード変更問合画面７６を見て、押下したワンタッチキーには現在の機能モードに対応したオプション設定情報が登録されていないことを知ることができる。
【００９８】
また、押下したワンタッチキーに別の機能モードのオプション設定情報が登録されている場合は、その別の機能モードが具体的に何であるかを知ることができる。そして、機能モードをその別の機能モードに変更したい場合は、テンキーを操作することで容易に機能モードを切り替えることができる。
【００９９】
さらに、機能モードを切り替えた場合、押下したワンタッチキーに登録されている、切り替え後の機能モードに対応したオプション設定情報が、テンポラリ設定される。そのため、切り替え後の機能モードでの機能実行を迅速に実現できる。
【０１００】
（１ｄ）本実施形態では、ユーザは、複数のオプション設定情報をテンポラリ設定することができる。そのため、同じ機能モードについて異なるオプション設定情報が複数のワンタッチキーに登録されている場合、ユーザは、それら複数のオプション設定情報を適宜組み合わせて機能を実行させることができる。
【０１０１】
（１−７）特許請求の範囲の文言との対応関係
ここで、実施形態の文言と特許請求の範囲の文言との対応関係について説明する。オプション項目は設定項目の一例に相当する。オプション設定情報は特定設定情報の一例に相当する。図４、図７及び図８を用いて説明した、ワンタッチキーにオプション設定情報を登録するためにユーザにより行われるキー入力操作は、登録操作及び設定操作の一例に相当する。Ｓ４１０の処理時において行われるスタートキー４７の押下は、機能実行操作の一例に相当する。図１０の機能モード変更問合画面７６にスクロール表示されるメッセージは、変更要否メッセージの一例に相当し、機能モード変更問合画面７６が表示されている状態でユーザにより行われるテンキー「１」又は「２」の押下操作は、要否指定操作の一例に相当する。登録項目確認画面７２が表示されているときに上方向キー４１又は下方向キー４２を押下する操作は、表示要求操作の一例に相当する。
【０１０２】
Ｓ１３０〜Ｓ１４０の処理は設定受付処理の一例に相当する。Ｓ２１０及びＳ２４０の処理は登録処理の一例に相当する。Ｓ３３０の処理はモード設定処理の一例に相当する。Ｓ３９０の処理はワンタッチ設定処理の一例に相当する。Ｓ４４０の処理は機能実行処理の一例に相当する。Ｓ４６０の処理はメッセージ表示処理の一例に相当する。Ｓ４７０の処理は要否受付処理の一例に相当する。Ｓ４９０の処理はモード変更処理の一例に相当する。Ｓ５１０でテンキー「１」又は「２」の押下を受け付ける処理は表示要求受付処理の一例に相当する。Ｓ５３０の処理は登録情報表示処理の一例に相当する。
【０１０３】
［２．他の実施形態］
以上、本発明の実施形態について説明したが、本発明は上述の実施形態に限定されることなく、種々変形して実施することができる。
【０１０４】
（２−１）１つのワンタッチキーに対して、同じ機能モードのオプション設定情報を複数種類登録可能であってもよい。
（２−２）機能モードが３種類であることはあくまでも一例である。機能モードの種類や数は適宜決めてよい。ワンタッチキーの数についても、８個であることはあくまでも一例である。また、ワンタッチキーの操作としてシフトキー５５の操作を併用させることは必須ではない。
【０１０５】
（２−３）上記実施形態の表示部１３は、文字列を最大２行表示させることが可能な小型の構成であったが、このような構成はあくまでも一例である。表示部の大きさや表示方式など、表示部の具体的構成は特に限定されるものではない。
【０１０６】
（２−４）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本発明の実施形態である。
【符号の説明】
【０１０７】
１０…機能実行装置、１１…制御部、１２…記憶部、１３…表示部、１４…入力部、１５…画像読取部、１６…印刷部、１７…メディアＩ／Ｆ、１８…第１通信部、１９…第２通信部、２５…操作パネル、３１…ファクスモードキー、３２…スキャンモードキー、３３…コピーモードキー、３４…オプションキー、３５…テンキー、４０…ＯＫキー、４１…上方向キー、４２…下方向キー、４３…左方向キー、４４…右方向キー、４６…クリアキー、４７…スタートキー、５０…ワンタッチキーパネル、５１…第１キー、５２…第２キー、５３…第３キー、５４…第４キー、５５…シフトキー、６０…待機画面、６１…オプション項目画面、６２…設定画面、６３…ワンタッチ登録要否問合せ画面、６４，６５…登録通知画面、６６…既登録通知画面、６７…登録内容確認画面、７０…設定値確認画面、７１…機能実行中画面、７２…登録項目確認画面、７３…登録内容確認画面、７６…機能モード変更問合画面、８０…未登録通知画面、１００…通信回線。
【図１】
2018174437.tif 000003
【図２】
2018174437.tif 000004
【図３】
2018174437.tif 000005
【図４】
2018174437.tif 000006
【図５】
2018174437.tif 000007
【図６】
2018174437.tif 000008
【図７】
2018174437.tif 000009
【図８】
2018174437.tif 000010
【図９】
2018174437.tif 000011
【図１０】
2018174437.tif 000012